(57)【要約】【課題】一つの有線型磁気近接スイッチによって、引き違い戸の警備を行うと共に、引き戸に対して補助ロックを掛けることができる磁気近接スイッチシステムを提供する。【解決手段】両ロック部材１２Ａ、１２Ｂがロック解除位置にある時は、屋外引き戸２も、屋内引き戸３も自由に開閉できる。ロック部材１２Ｂをロック位置にすると、屋外引き戸２又は屋内引き戸３を半開きした状態で補助ロックすることができる。ロック部材１２Ａをロック位置にすると、両引き戸２，３が閉鎖状態に補助ロックされると同時に、マグネット２０とリードスイッチ３１が対向するので、警備装置は両引き戸２，３が閉じられていることを検出する。【選択図】  図１
2006249716.tif 000002
【特許請求の範囲】
【請求項１】
補助ロック装置と、
有線型のリードスイッチが収容されており、サッシ枠体との位置関係が変化しないように取り付けられたリードスイッチ収容体と
を備える磁気近接スイッチシステムであって、
前記補助ロック装置は、
引き違い戸の屋外引き戸の枠内のパネルに取り付け可能な取付基板と、
前記取付基板に折り畳まれて、屋内引き戸の走行経路から外れた位置であるロック解除位置と、前記ロック解除位置から略９０°持ち上げられ、屋内引き戸の走行経路に突出するロック位置とが切り換え可能に前記取付基板に取り付けられ、且つ所定の位置にマグネットが取り付けられたロック部材を少なくとも一つ
備え、
前記リードスイッチ収容体は、
前記マグネットが取り付けられたロック部材がロック位置となされた時、前記リードスイッチが当該マグネットと対向可能な位置になるように取り付けられる
ことを特徴とする磁気近接スイッチシステム。
【発明の詳細な説明】
【技術分野】
【０００１】
本発明は、窓や戸が開けられたことを検出する磁気近接スイッチシステムに係り、特に、左右の戸の両方を開閉することができる引き違い戸に用いる磁気近接スイッチシステムに関する。
【背景技術】
【０００２】
磁気近接スイッチは、マグネットとリードスイッチで構成され、警備の分野ではドアや窓、引き戸（ここでは便宜的にこれらを総称して引き戸という）が開けられたことを検出するためのセンサとして広く用いられている。また、周知の通り、そして、磁気近接スイッチには、引き戸が開かれてマグネットとリードスイッチが対向位置から外れ、リードスイッチが開いたことを検出すると、無線によって引き戸が開かれたことを警備装置に送信する、いわゆるワイヤレス型のものと、リードスイッチから警備装置まで配線を敷設し、警備装置側でリードスイッチの状態を監視することにより、引き戸が開けられたか否かを検出する、いわゆる有線型のものが知られている。
【０００３】
なお、磁気近接スイッチはマグネットスイッチと称されることもあるが、本明細書では磁気近接スイッチと称することにする。
【０００４】
そして、引き違い戸に対して磁気近接スイッチシステムを構築する場合には、特許文献１の図９や、特許文献２の図１０に見られるように、それぞれの引き戸に対して磁気近接スイッチを配置している。
【０００５】
また、近年では防犯機能の向上を目的として、引き違い戸に、両引き戸を本締めするためのクレセント錠等の本締め錠に加えて、引き戸の補助ロック装置を設置することが行われて（例えば、特許文献３、特許文献４参照）おり、特に、特許文献４には、引き戸に補助ロックを掛けている状態で引き戸が引かれた場合には警報器で警報音を鳴動させることが開示されている。
【特許文献１】特開２００４−３２６６０９号公報
【特許文献２】特開２００３−２９６８２７号公報
【特許文献３】特開２００１−２５４５５７号公報
【特許文献４】特開２００１−１５２７２３号公報
【発明の開示】
【発明が解決しようとする課題】
【０００６】
しかし、従来の構成では、有線型の磁気近接スイッチを用いる場合、片開きの引き戸であれば磁気近接スイッチは一つで済むが、引き違い戸の場合は両方の引き戸に対してそれぞれ磁気近接スイッチを取り付けなければならないので、都合２つの磁気近接スイッチが必要となる。クレセント錠等の一つの錠によって施錠、解錠される引き違い戸は、それぞれの引き戸が独立して施錠、解錠できないのであるから、本来は一つの引き違い戸に対して一つの磁気近接スイッチがあればよく、２つの磁気近接スイッチを取り付けることは無駄である。
【０００７】
また、従来の構成では、有線型の磁気近接スイッチを用いる場合、各磁気近接スイッチから警備装置まで配線を敷設しなければならないので、工事は煩わしいものとなる。この問題は、引き違い戸の数が多くなる程顕著である。
【０００８】
これに対して、ワイヤレス型のものを用いれば、配線も不要であり、しかも、マグネット側だけでなくリードスイッチ側についても、引き戸の開閉に伴って引き違い戸の枠体との位置関係が変化するように取り付けることができるので、一つの引き違い戸に対して一つのワイヤレス型磁気近接スイッチを取り付けるだけでよいのであるが、ワイヤレス型のものはコストが高いという問題がある。
【０００９】
このように、それぞれの引き戸に磁気近接スイッチを配置するのに対して、特許文献１の図５，図６に示されるような構成とすれば、一対のマグネットとリードスイッチで何れの引き戸が開けられた場合にもそれを検出することができるが、特許文献１に示されるものはクレセント錠と一体であるので全体の構成が複雑であり、また上述した通りワイヤレス型であるので高価なものとなる。更に、特許文献１に示されるものを既存の引き違い戸に適用する場合には、クレセント錠の取り替えの手間が掛かるという問題もある。
【００１０】
また、特許文献３には補助ロック装置について記載があるが、引き戸が開けられたことを検出する手段は記載がない。もっとも、特許文献３に開示されている補助ロック装置は、侵入者がガラスの補助ロック装置に対応する部分だけを割って屋内に手を入れても、容易にロック部材をアンロック姿勢に戻すことができない手段が施されているが、もし侵入者にそのアンロック姿勢に戻す手段が操作されてしまうと、侵入者は易々と屋内に侵入できることになる。
【００１１】
更に、特許文献４では、補助ロックを掛けている時に引き戸が開けられると警報器が警報音を鳴動するようになされているが、このものにおいても、侵入者によってガラスの補助ロックに対応する部分だけが割られて、補助ロックが解錠されてしまうことがある。
【００１２】
また、特許文献４では警報器はバッテリで動作するので、バッテリの交換時期に気を付ける必要がある。バッテリの寿命が切れると警報音が鳴動しなくなるからである。更に、特許文献４では警報器は屋内引き戸の縦桟の側面に設置されるから、仮に警報音を鳴動させる時に同時に警備装置へ異常発生を示す信号を送ろうとすると、警報器はワイヤレス型とならざるを得ない。有線型であれば屋内引き戸の開け閉めに伴って警報器からの配線を引きずることになるからである。しかし、上述した通り、有線型の警報器は高価なものとなる。
【００１３】
そこで、本発明は、一つの有線型磁気近接スイッチによって、引き違い戸の警備を行うと共に、引き戸に対して補助ロックを掛けることができる磁気近接スイッチシステムを提供することを目的とする。
【課題を解決するための手段】
【００１４】
上記目的を達成する本発明の磁気近接スイッチシステムは、補助ロック装置と、有線型のリードスイッチが収容されており、サッシ枠体との位置関係が変化しないように取り付けられたリードスイッチ収容体とを備える磁気近接スイッチシステムであって、前記補助ロック装置は、引き違い戸の屋外引き戸の枠内のパネルに取り付け可能な取付基板と、前記取付基板に折り畳まれて、屋内引き戸の走行経路から外れた位置であるロック解除位置と、前記ロック解除位置から略９０°持ち上げられ、屋内引き戸の走行経路に突出するロック位置とが切り換え可能に前記取付基板に取り付けられ、且つ所定の位置にマグネットが取り付けられたロック部材を少なくとも一つ備え、前記リードスイッチ収容体は、前記マグネットが取り付けられたロック部材がロック位置となされた時、前記リードスイッチが当該マグネットと対向可能な位置になるように取り付けられることを特徴とするものである。
【発明の効果】
【００１５】
本発明の磁気近接スイッチシステムによれば、一つの有線型磁気近接スイッチで引き違い戸の警備を行うことができるので安価である。また、引き違い戸の警備と共に補助ロックを掛けることが可能となるので、防犯機能の向上を図ることができる。更に、リードスイッチから警備装置まで配線を敷設しなければならないが、用いるリードスイッチは一つだけであるので、配線の敷設の工事も容易である。
【発明を実施するための最良の形態】
【００１６】
以下、図面を参照しつつ発明の実施の形態について説明する。図１は、本発明に係る磁気近接スイッチシステムをサッシよりなる引き違い戸に設置した状態を示す斜視図であり、図中、１は鴨居に設置したサッシの枠体、２は屋外引き戸、３は屋内引き戸、４は屋外引き戸２の枠内に嵌め込まれたガラスやアルミ板からなるパネル、５は鴨居、１０は補助ロック装置、２０はマグネット、３０はリードスイッチ収容体、３４はリードスイッチの配線、３５はリードスイッチ収容体３０の取付部材を示す。
【００１７】
図１において、この引き違い戸は、鴨居４に設置されたサッシの枠体１に対して、屋外引き戸２と屋内引き戸３が互いに引き違い状となるように走行自在に嵌め込まれており、両引き戸２，３の枠内にはパネル４が嵌め込まれている。また、図１には図示していないが、この引き違い戸は、両引き戸２，３を本締めするための本締まり錠を備えている。この本締まり錠は、クレセント錠であってもよく、差し込み錠でもよく、その他の錠であってもよい。なお、ここでは、便宜的に、両引き戸２，３が閉められている時、室内から見て向かって左が屋外引き戸２、向かって右が屋内引き戸３としている。
【００１８】
図１に示すように、屋外引き戸２のパネル４の屋内側表面の屋内引き戸３側の上隅端部には補助ロック装置１０が取り付けられている。図２に補助ロック装置１０の斜視図を示す。この補助ロック装置１０は、パネル４に対して接着剤により取付可能な取付基板１１と、この取付基板１１に左右一対のロック部材１２Ａ、１２Ｂを備えている。なお、図２ではマグネット２０は図示を省略している。また、以下、２つのロック部材１２Ａ、１２Ｂを区別せずに総称する場合には、単に、ロック部材１２と記すことにする。
【００１９】
これらの取付基板１１及びロック部材１２の材料としては、容易に変形しないような強度が要求されるのは勿論であるが、リードスイッチに対して磁気的に影響を及ぼさないようにすることが望まれるので、ステンレス等の非磁性体の金属を用いればよい。
【００２０】
そして、取付基板１１の左右両端部には支持ブラケット１３，１３が形成されており、この支持ブラケット１３，１３の間にシャフトによって、２つのロック部材１２Ａ、１２Ｂが取り付けられている。これら２つのロック部材１２Ａ、１２Ｂは、取付基板１１に対して、その幅方向に同じレベルで並設されている。また、両ロック部材１２Ａ、１２Ｂの幅は、何れも取付基板１１の略半分となされている。
【００２１】
なお、ここでは取付基板１１に対して２つのロック部材１２Ａ、１２Ｂを取り付けるものとするが、ロック部材は一つだけでもよいことは当然である。
【００２２】
両ロック部材１２Ａ、１２Ｂは、何れも、ロック位置とロック解除位置の２つの位置をとることができるように、支持ブラケット１３，１３の間に上下揺動自在に取り付けられている。これにより、ロック部材１２Ａとロック部材１２Ｂとは、独立して、ロック位置とロック解除位置の切り換えが可能になされている。
【００２３】
ロック解除位置は、図２のロック部材１２Ａのように取付基板１１に折り畳んだ状態となる位置であり、ロック位置は、ロック解除位置から略９０°持ち上げた位置であり、図２のロック部材１２Ｂのように取付基板１１から下端部を持ち上げた状態となる位置である。このような構造としては、例えば特許文献３に示される構造を採用することができる。勿論、その他の構造であってもよい。
【００２４】
ロック解除位置にあるときロック部材は屋内引き戸３の走行経路から外れ、ロック位置にあるときにはロック部材は屋内引き戸３の走行経路に突出する。従って、ロック部材１２を取付基板１１に折り畳んでロック位置とした状態における補助ロック装置１０の最大厚さは、屋外引き戸２の枠内のパネル４の表面から屋内引き戸３の縦枠３Ａの間の隙間よりも小さくなるように設定される。
【００２５】
図１では両ロック部材１２Ａ、１２Ｂは何れもロック解除位置にあるが、この状態からロック部材１２Ａを持ち上げてロック位置にすると、当該ロック部材１２Ａは屋内引き戸３の走行経路に突出するので、屋外引き戸２も、屋内引き戸３も開けることができなくなり、閉鎖状態となる。即ち、この場合には本締まり錠に加えて、両引き戸２，３を補助ロックすることができる。従って、この屋内引き戸３側のロック部材１２Ａは閉鎖ロック用のものということができる。
【００２６】
また、図１に示す状態からロック部材１２Ｂのみを持ち上げてロック位置とすると、換気等のために屋外引き戸２及び又は屋内引き戸３を半開きした状態でロックすることができる。この場合には、略ロック部材１２Ａの幅だけ屋外引き戸２及び又は屋内引き戸３を開くことができるからである。従って、この屋内引き戸３から離れた側のロック部材１２Ｂは半開きロック用のものということができる。
【００２７】
マグネット２０はロック部材１２Ａにのみ取り付けることもでき、ロック部材１２Ｂにのみ取り付けることもでき、ロック部材１２Ａ、１２Ｂの両方に取り付けることもできるが、現実的には、ロック部材１２Ａのみ、またはロック部材１２Ａ、１２Ｂの両方に取り付けるのがよい。
【００２８】
また、マグネット２０は、ロック部材１２がロック解除位置にある時に屋内側となる面の下部に取り付けられる。図１ではロック部材１２Ａにのみマグネット２０が取り付けられている。マグネット２０のロック部材１２Ａへの取付は接着剤を用いればよい。この点はロック部材１２Ｂに取り付ける場合も同じである。
【００２９】
リードスイッチ収容体３０の構成例を図３に示す。図３はリードスイッチ収容体３０の構造例を示す斜視図であり、リードスイッチ収容体３０の内部を透視した斜視図である。図３に示すように、リードスイッチ収容体３０は、両端が支持体３２に支持されたリードスイッチ３１を、プラスチック等の非磁性体の容器３３に収容したものである。そして、リードスイッチ３１からの配線３４は容器３３から引き出され、警備装置（図示せず）まで敷設される。このような構成のリードスイッチ収容体は広く一般に使用されているものである。
【００３０】
図１では、このリードスイッチ収容体３０は、取付部材３５によって、当該引き違い戸が設置される鴨居５に取り付けられている。即ち、図１では、リードスイッチ収容体３０は鴨居５に固定されている。このリードスイッチ収容体３０は、リードスイッチ３１が下に向くように、即ち床面に向くように鴨居５に取り付けられる。即ち、リードスイッチ３１は、枠体１との位置関係が変化しないように取り付けられる。
【００３１】
なお、図１では、リードスイッチ収容体３０は取付部材３５によって鴨居５に取り付けるようにしているが、これはあくまでも一例に過ぎないものであって、サッシの構造等に応じて鴨居５ではなく、天井に取り付けてもよい。要するに、リードスイッチ収容体３０は、枠体１との位置関係が変化しないように取り付ければよいのである。
【００３２】
ここで、リードスイッチ収容体３０の取付位置は、屋内引き戸３の走行経路から外れた位置であり、且つ、ロック部材１２がロック位置にあるとき、リードスイッチ３１が当該ロック部材に取り付けられているマグネット２０と対向可能となる位置である。従って、図１では、リードスイッチ収容体３０は、屋内引き戸３の走行経路から外れ、且つ、ロック部材１２Ａをロック位置としたとき、リードスイッチ３１がマグネット２０と対向可能となる位置に取り付けられているのである。
【００３３】
さて、次に、この磁気近接スイッチシステムの使用方法について説明する。いま、図１に示すように、マグネット２０は補助ロック装置１０のロック部材１２Ａにのみ取り付けられているとする。このロック部材１２Ａは、２つのロック部材１２のうち、屋内引き戸３側のものであることは図に示す通りである。
【００３４】
図１に示す状態では、２つのロック部材１２Ａ、１２Ｂは何れもロック解除位置にあるので、屋外引き戸２も、屋内引き戸３も自由に開閉することができる。この時にはマグネット２０とリードスイッチ３１は対向していないので、警備装置は引き戸が開いていることを検出する。
【００３５】
また、図１に示す状態から、ロック部材１２Ｂをロック位置にすると、屋外引き戸２又は屋内引き戸３を半開きした状態で補助ロックすることができる。そして半開きした状態で補助ロックされている場合には、ロック部材１２Ａのマグネット２０とリードスイッチ３１は対向していないので、警備装置は引き戸が開いていることを検出する。
【００３６】
次に、図１の状態からロック部材１２Ａをロック位置にすると、両引き戸２，３が閉鎖状態に補助ロックされると同時に、マグネット２０とリードスイッチ３１が対向するので、当該引き違い戸に対する警備を行うことができる。この場合には、警備装置は両引き戸２，３が閉じられていることを検出するので、異常は無いと判断する。
【００３７】
その状態において、侵入者によって屋外引き戸２又は屋内引き戸３が強い力で引かれ、ロック部材１２Ａが大きく変形したり、壊れたりしてマグネット２０とリードスイッチ３１が対向位置からずれると、警備装置は引き戸が開けられたことを検出するので、異常が発生したと判断する。また、侵入者によって屋外引き戸２のガラス４の補助ロック装置１０に対応する部分が割られ、ロック部材１２Ａがロック解除位置になされると、この場合にもマグネット２０とリードスイッチ３１が対向位置からずれるので、警備装置は引き戸が開けられたことを検出するので異常が発生したと判断する。そして、このことによって、警備装置は警備会社のセンター装置に異常通報を行ったり、サイレン等の威嚇装置を駆動したりすることになる。
【００３８】
次に、図４に示すように、ロック部材１２Ａ、１２Ｂの両方にマグネット２０，２０が取り付けられている場合について説明する。この場合のリードスイッチ収容体３０の取付位置は図１に示すと同じ位置であり、屋内引き戸３の走行経路から外れ、且つ、ロック部材１２Ａをロック位置としたとき、リードスイッチ３１がロック部材１２Ａに取り付けられているマグネット２０と対向する位置である。
【００３９】
図４に示す状態では、２つのロック部材１２Ａ、１２Ｂは何れもロック解除位置にあるので、屋外引き戸２も、屋内引き戸３も自由に開閉することができる。この時にはマグネット２０とリードスイッチ３１は対向していないので、警備装置は引き戸が開いていることを検出する。
【００４０】
また、図４に示す状態から、ロック部材１２Ｂをロック位置にすると、屋外引き戸２又は屋内引き戸３を半開きした状態で補助ロックすることができるが、このとき屋内引き戸３は閉じた状態とし、屋外引き戸２のみを、ロック部材１２Ｂが屋内引き戸３の縦桟３Ａに当接するまで半開きとすると、ロック部材１２Ｂのマグネット２０とリードスイッチ３１が対向するので、警備装置は引き戸が閉じられていることを検出する。即ち、半開きの状態で当該引き違い戸の警備を行うことができる。
【００４１】
そして、この状態で屋外引き戸２または屋内引き戸３を強く引いたりすることによってロック部材１２Ｂが大きく変形したり、壊れたりしてマグネット２０とリードスイッチ３１が対向位置からずれると、警備装置は引き戸が開けられたことを検出する。また、侵入者によって屋外引き戸２のパネル４の補助ロック装置１０に対応する部分が割られ、ロック部材１２Ｂがロック解除位置になされると、この場合にもマグネット２０とリードスイッチ３１が対向位置からずれるので、警備装置は引き戸が開けられたことを検出するので、異常が発生したと判断する。そして、このことによって、警備装置は警備会社のセンター装置に異常通報を行ったり、サイレン等の威嚇装置を駆動したりすることになる。
【００４２】
ただし、この場合には、屋外引き戸２を半開き状態で補助ロックしている状態から閉じると、ロック部材１２Ｂのマグネット２０とリードスイッチ３１は対向位置からずれ、警備装置によって異常が発生したと判断されてしまうので注意を要する。
【００４３】
以上、マグネット２０がロック部材１２Ａにのみ取り付けられている場合と、２つのロック部材１２Ａ、１２Ｂの両方に取り付けられている場合について説明したが、次に、参考のために、図５に示すようにマグネット２０がロック部材１２Ｂにのみ取り付けられている場合について説明する。なお、図５では便宜的に、枠体１、両引き戸２，３等は図示を省略している。
【００４４】
この場合のリードスイッチ収容体３０の取付位置としては２つの位置が考えられる。一つは図１，図４に示す場合と同じ位置であるが、上述したところから明らかなように、この場合には、ロック部材１２Ｂのみをロック位置にすれば屋外引き戸２を半開きした状態で当該引き違い戸の警備を行うことはできるが、ロック部材１２Ａをロック位置として閉鎖ロックした状態では、当該引き違い戸の警備を行うことはできない。
【００４５】
もう一つ考えられるリードスイッチ収容体３０の取付位置は、屋内引き戸３の走行経路から外れ、且つ、両引き戸２，３を閉じた状態でロック部材１２Ｂをロック位置としたとき、リードスイッチ３１がロック部材１２Ｂのマグネット２０と対向する位置である。
【００４６】
この場合、ロック部材１２Ｂのみをロック位置とし、屋外引き戸２は閉じた状態とし、屋内引き戸３のみを、ロック部材１２Ｂに当接するまで半開きとすると、ロック部材１２Ｂのマグネット２０とリードスイッチ３１は対向しているので、警備装置は引き戸が閉じられていることを検出する。即ち、半開きの状態で当該引き違い戸の警備を行うことができる。
【００４７】
また、図５に示す状態から、図６に示すようにロック部材１２Ａ、１２Ｂの両方をロック位置とすれば、閉鎖ロックした状態で当該引き違い戸の警備を行うことができる。なお、図６においても便宜的に、枠体１、両引き戸２，３等は図示を省略している。
【００４８】
しかし、図１，図４の場合と比較すると、図５に示すようにロック部材１２Ｂのみにマグネット２０を取り付けた場合は使い勝手の点で不満があるということができる。
【００４９】
以上のように、この磁気近接スイッチシステムによれば、一つの有線型磁気近接スイッチで引き違い戸の警備を行うことができるので安価である。また、引き違い戸の警備と共に補助ロックを掛けることが可能となるので、防犯機能の向上を図ることができる。更に、リードスイッチ３１から警備装置まで配線を敷設しなければならないが、用いるリードスイッチは一つだけであるので、配線の敷設の工事も容易である。
【００５０】
以上、本発明に係る磁気近接スイッチシステムの一実施の形態を説明したが、本発明は上記実施の形態に限定されるものではなく、種々の変形が可能であることは当業者に明らかである。
【図面の簡単な説明】
【００５１】
【図１】本発明に係る磁気近接スイッチシステムをサッシよりなる引き違い戸に設置した状態を示す斜視図である。
【図２】補助ロック装置１０の斜視図である。
【図３】リードスイッチ収容体３０の構造例を示す斜視図であり、リードスイッチ収容体３０の内部を透視した斜視図である。
【図４】ロック部材１２Ａ、１２Ｂの両方にマグネット２０，２０が取り付けられている場合の構成を示すと共に、その使用方法を説明するための図である。
【図５】ロック部材１２Ｂにのみマグネット２０が取り付けられている場合の使用方法を説明するための図である。
【図６】図３に示す状態から、両ロック部材１２Ａ、１２Ｂをロック位置にした状態を示す図である。
【符号の説明】
【００５２】
１…サッシの枠体、２…屋外引き戸、３…屋内引き戸、４…パネル、５…鴨居、１０…補助ロック装置、１１…取付基板、１２Ａ，１２Ｂ…ロック部材、１３…支持ブラケット、２０…マグネット、３０…リードスイッチ収容体、３１…リードスイッチ、３４…リードスイッチ３０の配線、３５…リードスイッチ収容体３０の取付部材。
【図１】
2006249716.tif 000003
【図２】
2006249716.tif 000004
【図３】
2006249716.tif 000005
【図４】
2006249716.tif 000006
【図５】
2006249716.tif 000007
【図６】
2006249716.tif 000008